(57)【要約】音楽演奏に合わせて音楽を外部入力により任意のパートに分割して音楽パートを設定し、パート番号やパート表示時間などの同期表示データを作成するとともに、歌唱を含む音楽の同期歌詞データについて、設定した音楽パートを前奏部、歌唱部、間奏部、エンディングのいずれかの属性に設定して、分割した歌詞データを各属性のうちの歌唱部のパートに順次割り当てて、パート番号などの同期表示データと合わせて同期歌詞表示ファイルを作成する。
2011105112.tif 000002
【特許請求の範囲】
【請求項１】
音楽演奏に合わせて、パート毎の区切り（時間的な区切りをいう。）を外部入力により順次設定して音楽全体を任意の音楽パートに分割して、設定順にパート番号を付けて、区切り間の経過時間を計測してパート毎の表示時間データにするとともに、各パートについて音楽と同期表示を行うパートとして選択する選択パートデータを作成し、パート選択に要した時間を計測して選択時間の短いパートを優先順位の高いパートとする選択パート数を調整するデータを作成することにより、パート番号、パート毎の表示時間、選択パートデータといった同期表示データを作成するシステム
【請求項２】
音楽演奏に合わせて、音楽全体について順次区切りを外部入力してパート設定する際に、各パートのパート番号を画面に表示して、区切り間の経過時間を計測して表示時間データを作成するとともに、同期パートの選択を行い、当該選択の制限時間と選択時間を計測して画面に表示して、同期表示データの作成機能を有する電子機器
【請求項３】
歌唱を含む音楽について、音楽演奏に合わせて、音楽全体について外部入力によりパート毎の区切りを順次設定して、設定順にパート番号を付け、各音楽パートの演奏時間を計測してパート毎の表示時間データにするとともに、音楽演奏開始から最初の区切りまでを前奏部、次の区切りまでを最初の歌唱部に設定し、それ以降は外部入力により間奏部に設定する場合を除いてすべて歌唱部に設定し、最終パートをエンディングに設定することで音楽全体のパートを、前奏部、歌唱部、間奏部、エンディングのいずれかの属性に設定して、各属性のうちの歌唱部のみのパートに歌詞全体について分割した歌詞データを順次割り当てることで、音楽全体のパート毎のパート番号、パートの表示時間データ及び歌詞データなどで構成する同期歌詞表示ファイルを作成するシステム
【請求項４】
歌唱を含む音楽について、音楽再生機能による音楽演奏の開始情報を受けて、前奏部の表示と分割した歌詞データを画面に順次表示して当該文字情報を参照して、音楽演奏に合わせて外部入力により順次区切りを設定して、設定順にパート番号を付け、区切り間の経過時間を計測してパート毎の同期表示時間にするとともに、パートを歌唱部と間奏部に区分するための間奏部の選択を外部入力により行う機能を有する電子機器   
【発明の詳細な説明】
【技術分野】
【０００１】
この発明は、音楽と文章を同期して画面に表示するための同期表示データの作成に関する。
【背景技術】
【０００２】
音楽のパート毎の文章情報やパート毎の表示時間などをもとにして、音楽と同期して文章を表示するプログラムがある。当該プログラムは、パート毎の文章を音楽と同期して表示するもので、歌詞やメールの文章などを同期表示の対象としている。 【０００３】
当該プログラムでは、前奏部、間奏部など歌唱を含まない音楽パートや歌詞のない音楽も同期表示の対象とするが、前奏部、間奏部などにいくつかのパートを設定して同期表示データを作成するシステムがなかった。【０００４】
音楽との同期歌詞表示ファイルの作成においても、音楽特性を生かしてパートを設定するシステムがなかった。
【先行技術文献】
【特許文献】
【０００５】
【特許文献１】特開２００８−２１６９６５号公報
【特許文献２】ＷＯ２０１０−０４４２２０号公報
【発明の概要】
【発明が解決しようとする課題】
【０００６】
ユーザがパートの区切りを入力して音楽全体をパート毎に分割し、パート番号を設定する。  同時に、パート毎の演奏時間を計測して表示時間データを作成し、パート番号と合わせて同期表示データを作成する。【０００７】
その際、同期表示の対象がメールや詩などの文章の場合には、どの音楽パートで同期表示を行うのかという同期して表示するパートが不特定なので、各パートを設定する際に、合わせて同期表示パートの選択を行う。【０００８】
同期表示パートの選択数が、メールなどの表示文章データ数より多い場合も想定され、そうしたミスマッチを解消するため、選択パート数と表示文章データ数を同数に調整するために、選択パートの中で優先順位を設定する。【０００９】
歌唱を含む音楽は、前奏部、歌唱部のパート、間奏部、歌唱部のパート‥‥‥、エンディングといった音楽のパート構成になることが多く、この特性を生かして音楽全体について、前奏部、歌唱部、間奏部及びエンディングのいずれかの属性のパートに設定する。【００１０】
各属性のパートに設定する際、間奏部に設定する場合のみは外部入力、間奏部以外は自動的に各属性のパートに設定して、それらの属性のうち、歌唱部のパートのみに歌詞データを割り当てることにより、同期歌詞表示ファイルを作成する。
【課題を解決するための手段】
【００１１】
課題解決のために、ユーザが音楽演奏を聴きながら音楽パートの区切りとする時点で、電子機器の画面のパート分割部をクリックして、パートの区切りを順次設定してそれぞれを一つのパートとしてパート番号を設定する。そして、区切りと次の区切りまでの演奏時間を計測して、計測時間をパート表示時間の時間量データとする。【００１２】
これにより音楽全体を各パートに区切り、音楽のパート構成を設定するとともに、同期表示データのうちのパート番号及びパートの表示時間などのデータを作成する。【００１３】
また、どの音楽パートで文章を同期表示するかを選択したデータが同期表示に必要であり、パート毎の区切りを設定後、制限時間（次のパートが始まる前に処理を終了するために設定した時間）内に、選択パートとするかどうかを外部入力して選択する。【００１４】
同期表示パートの選択を行う際、パート選択に要した時間を計測して、選択時間が短いパートを優先して、表示文章データ数と同順位のパートまでを選択パートとするための優先順位データの作成を合わせて行う。【００１５】
歌唱を含む音楽について同期歌詞表示ファイルを作成する場合は、同期して表示するパートが歌唱部に限定されるので、音楽のパート構成を決定する際、最初の区切りまでを前奏部のパート、次の区切りまでを最初の歌唱部のパートとして自動的に設定する。【００１６】
それ以降は、歌唱部は同期表示するパート、間奏部は同期表示しないパートになるので、それを区別するため、間奏部のみ外部入力を行うことにより同期表示しない属性のパートとして設定する。最終パートをエンディングとして設定し、音楽全体を前奏部、歌唱部、間奏部、エンディングのいずれかの属性のパートに設定する。【００１７】
同期歌詞表示ファイルは、同期表示が歌唱部のみに限定されるので、歌唱部のパートのみにあらかじめ分割した歌詞データをパート番号順に割り当てる。【００１８】
なお、同期歌詞表示ファイルの作成においては、歌唱部のパートはすべて同期表示するので、選択パートの設定は行わない。
【発明の効果】
【００１９】
音楽のパート番号とパートの表示時間などの同期表示データの作成が容易になり、音楽と同期して文章を表示するプログラムの機能を電子機器に併載すれば、ユーザが鑑賞したいときに、自身で設定したパート構成による同期表示ファイルを作成して、同期表示を楽しむことが可能となる。【００２０】
音楽との同期歌詞表示についても、選択パートの設定を行わずに、パート毎の区切りと間奏部の入力のみで同期表示ファイルを作成することができる。
【図面の簡単な説明】
【００２１】
【図１】図１は、同期表示データ作成システムの説明図である。
【図２】図２は、電子機器の同期表示データ作成の画面の説明図である。
【図３】図３は、同期表示データファイルの説明図である。
【図４】図４は、同期歌詞表示ファイル作成システムの説明図である。
【図５】図５は、電子機器の同期歌詞表示ファイル作成の画面の説明図である。
【図６】図６は、パート別歌詞ファイル及び同期歌詞表示ファイルの説明図である。
【図７】図７は、音楽と同期して文章を表示するプログラムの説明図である。
【発明を実施するための形態】
【００２２】
図１は、同期表示データ作成システムの内容を示すものである。
１  システムをスタートすると、図２の電子機器の同期表示データ作成画面にパート選択    状況部、パート設定部、パート選択部、設定開始終了部の各部を表示する。
【００２３】
２  次に、ユーザは任意の電子機器で音楽再生を行い、音楽演奏開始と同時に設定開始終了  部の開始部をクリックすると、パート選択状況部にパート番号「１」を、パート設定部の  パート番号部にパート番号の「１」を、パート表示時間部及び総表示時間部に「０．０」  秒を表示する。同時に、音楽演奏の経過時間をパート表示時間用及び総表示時間用に別々  に計測して、パート表示時間部及び総表示時間部に計測時間をリアルタイムで表示する。
【００２４】
３  ユーザが音楽演奏を聴きながらパートの区切りとするタイミングでパート分割部を外部  入力（クリック）すると、当該クリック時の時点までの計測時間をパート表示時間として、  それに当該パートのパート番号を付けてそれらのデータを同期表示データメモリーに転送  する。同時に当該パートの選択に係る選択時間の計測を開始し、選択パート部の外部入力  （クリック）又は制限時間（３秒程度で設定）が経過した時点で計測を終了する。
【００２５】
４  そして、制限時間から当該計測時間を控除した時間を残りの選択可能時間として縦棒で  パート選択部の選択時間部に表示し、制限時間内に選択パート部を外部入力（クリック）  することで当該パートを同期表示パートとして選択する。パート選択が行われた場合は、  パート選択状況部の当該パート番号を点滅して表示するとともに、選択パート番号データ  及び選択時間を同期表示データメモリーに転送する。
【００２６】
５  次に、パート数をカウントするとともに、当該パートが最終パートでなければ、次の処  理を同様に、パート選択状況部に次のパート番号「２」を追加して、パート番号部にパー  ト番号「２」、パート表示時間部に「０．０」秒を表示して、パート表示時間を計測する。
【００２７】
６  当該処理を繰り返し、ユーザが音楽演奏の終了と同時に設定開始終了部の終了部をクリ  ックすると、当該パートが最終パートとなり、パート表示時間と総表示時間の時間計測及  び画面表示を終了し、計測したパート表示時間及び総表示時間のデータ及びカウント済の  パート数に１を加えた総パート数データを同期表示データメモリーに転送する。
【００２８】
７  また、終了部のクリック後、制限時間内にパート選択をした場合には選択パートデータ  及び選択時間を同期表示データメモリーに送信する。その後、同期表示データメモリーの  すべての選択パートについて選択時間の短い順に優先順位を付け、当該優先順位データと  これまで同期表示データメモリーに転送されたデータを合わせて図３の同期表示データフ  ァイルの形式でメモリーに保存してシステムを終了する。
【００２９】
図２は、同期表示データ作成画面の内容を示するもので、パート選択状況部、パート設定部、パート選択部、設定開始終了部で構成する。
【００３０】
パート選択状況部は、音楽パートの分割の都度、パート番号を順次、追加して音楽全体のパート番号を表示するとともにパート選択部で選択したパートの番号を点滅表示する。
パート設定部は、パート番号部、パート表示時間部及び総表示時間部とパート分割部で構成する。パート分割部の外部入力（クリック）により音楽パートの分割を行う。
【００３１】
パート選択部は、音楽パートの設定後に当該パートを同期表示する場合に、選択パート部を外部入力（クリック）して選択する。パート選択時には、次パートの処理を並行して行うため、パート選択に制限時間を設け、制限時間内はパート分割部の外部入力を制限する。
【００３２】
設定開始終了部は、音楽演奏の開始情報及び終了情報を入力する場合に、開始部及び終了部のクリック部をクリックして外部入力する。音楽再生と当該システムを同一の電子機器で行う場合は、音楽演奏の開始情報を自動的に入手して処理を行うことも可能であり、その場合は、開始部における外部入力は不要となる。
【００３３】
図３は、同期表示データファイルの内容を表示するものである。
パート番号及びパート表示時間、選択パート番号、選択時間、総パート数、総表示時間データ、選択パート数、優先順位等のデータで構成し、選択パートにおけるパート表示部の文章について、音楽と同期して表示するプログラムを実行して、音楽と同期して文章を表示するものである。
【００３４】
図４は、同期歌詞表示ファイル作成システムの内容を示るものである。
このシステムは、歌唱部を含む音楽が前奏部、歌唱部、間奏部、歌唱部、…エンディングで構成されるとして、パート分割部の２回目のクリックまでは、音楽パートを最初のクリックで前奏部のパート、次のクリックで最初の歌唱部のパートに設定する。それ以降は、パート分割部のクリック後に一定の設定時間内に間奏部をクリックする場合のみを間奏部のパート、それ以外はすべて歌唱部のパートに設定する。そして、音楽の終了情報が入ると当該パートを最終パートとしてエンディングのパートに設定する。
【００３５】
１  システムをスタートすると、図６のパート別歌詞ファイルの内容をデータテーブルに読  み込むとともに、図５の電子機器の同期歌詞表示データ作成画面に歌詞表示部、時間計測  部、パート分割部、間奏部、終了部を表示する。時間計測部にパート番号「０」及びパー  ト表示時間部及び総表示時間部に「０．０」秒を表示する。
【００３６】
２  次に、当該音楽の再生を指示して音楽演奏が開始されると、演奏開始情報を受けて同期  歌詞表示ファイルの作成を開始する。そして、時間計測部のパート番号部に「１」、歌詞表  示部の現パートに「前奏部」、次パートにパート別歌詞ファイルの最初の歌詞データ「最初  の歌唱パート」を表示する。同時に、時間計測を行い、計測時間をリアルタイムでパート  表示時間及び総表示時間として表示する。
【００３７】
３  次に、ユーザが音楽演奏を聴きながら、歌唱部の開始に合わせてパート分割部に最初の  クリックを行うと、パート番号部に「２」、歌詞表示部の現パートに「最初の歌唱パート」、  次パートに「２番目の歌唱パート」を表示する。同時にパート時間の計測を終了してパー  ト表示時間部を「０．０」秒と表示し、次パートの時間計測を開始して計測時間を表示す  る。そして、同期歌詞表示データとして歌詞データ「前奏部」及びパート番号「１」、パー  ト表示時間のデータを同期歌詞表示データメモリーに転送する。
【００３８】
４  次に、ユーザが音楽演奏を聴きながら歌詞表示部の表示を参照して、当該パート終了の  タイミングでパート分割部の２回目のクリックを行うと、パート時間の計測を終了してパ  ート番号部に「３」、パート表示時間部を「０．０」秒と表示して、次パートの時間経過の  計測を開始して、パート表示時間部に表示する。
【００３９】
５  当該パートは歌唱を含むパートなので、自動的に歌唱部のパートとして設定され、歌詞  表示部の現パートと次パートに次の歌詞表示データを表示するとともに、同期歌詞表示デ  ータとして歌詞表示データ「最初の歌唱パート」、パート番号及びパート表示時間のデータ  を同期歌詞表示データメモリーに転送する。
【００４０】
６  以降のパートにおいては、前パートの処理に加えて、パート分割後に設定時間（設定に  要する時間、制限時間はここでは３秒間）の計測を開始して設定時間部に計測時間を１、  ２、３と点滅して表示する。当該パートが間奏部のパートの場合は、ユーザーが設定時間  内に間奏部をクリックすることで、当該パートは間奏部のパートとして設定され、この場  合、歌詞表示部の更新をせずにパート番号及びパート表示時間のデータを同期歌詞表示デ  ータメモリーに転送する。
【００４１】
７  当該パートが最終パートでなければ、次の処理を同様に行い、時間計測部に次のパート  番号を表示するとともにパート表示時間部に「０．０秒」を表示して、パートの時間計測  を新たに開始する。
【００４２】
８  当該処理を繰り返し、ユーザが音楽演奏の終了と同時に終了部をクリックすると、当該  パートが最終パートとなり、パート表示時間と総表示時間の時間計測及び画面表示の終了  指示を行い、最終パートの表示時間、総表示時間データ、総パート数データ及び歌詞表示  データの「エンディング」を同期歌詞表示データメモリーに転送する。転送された同期歌  詞表示データを図６の同期歌詞表示ファイルにしてメモリーに保存してシステムを終了す  る。
【００４３】
図５は、同期歌詞表示ファイル作成システムの実行に用いる電子機器の同期歌詞表示データ作成画面の内容を示すものである。歌詞表示部、時間計測部、パート分割部、間奏部、終了部で構成する。
【００４４】
歌詞表示部は、ユーザの音楽のパート分割の参考として画面に表示するもので、音楽を聴きながら、音声に合わせて文字を追ってクリックするタイミングをつかむためのもので、現パートと次パートを同時に表示する。時間計測部は、パート番号部、パート表示時間部及び総表示時間部で構成し、パート分割部は、クリック部を外部入力（クリック）することにより音楽パートの分割を行う。
【００４５】
間奏部は、音楽の間奏部のパートを設定するもので、一定の設定時間内に設定するもので、時間経過後は外部入力（クリック）できないよう設定する。設定時間内に間奏部の選択がない場合は自動的に歌唱部のパートとして設定される。  
終了部は、システムの終了処理を行うものであり、終了情報により最終パートとなり、エンディングのパートに設定される。
【００４６】
図６は、パート別歌詞ファイル及び同期歌詞表示ファイルの内容を示すものである。パート別歌詞ファイルは、データ順と対応する歌詞データで構成する。データ順に歌詞表示部に表示されるもので、図４の同期歌詞表示ファイル作成システムの実行の際には当該ファイルが予め作成され、メモリーに保存されていることを要する。
【００４７】
同期歌詞表示ファイルは、同期歌詞表示ファイル作成システムにおいて同期歌詞表示データメモリーに転送された、パート番号及びパート表示時間、総パート数、総表示時間データ、パート表示部データ（歌詞データ）で構成し、パート表示部の歌詞データについて、図７の音楽と同期して文章を表示するプログラムを実行して音楽と同期して表示するものである。
【００４８】
図７は、音楽と同期して文章を表示するプログラムの内容を示すものである。
１  電子機器の音楽再生部から音楽演奏の開始情報を受け、メモリーの同期歌詞表示ファイ  ルの内容をデータエリアに読込み、パート１の実行をパート更新エリアに指示する。
【００４９】
２  パート更新エリアでは、指示を受けてデータエリアから総パート数データの提供を受け  るともに、データエリアに対し文章出力エリア、時間管理エリアにパート番号１，パート  １の文章（歌詞データ）、パート１の表示時間を転送する指示を行う。
【００５０】
３  文章出力エリアでは、文章（歌詞データ）を画面に出力するとともに、時間管理エリア  に表示した時間の計測を指示する。時間管理エリアにおいて計測した時間がパート１の表  示時間に等しくなると、当該パートの終了処理（文章出力エリアに出力中止等、パート更  新エリアにパートの更新）を指示する。
【００５１】
４  パート更新エリアで、次パートの処理（パート数データの提供を受けることを除く）を  同様の方法で行い、その処理を繰り返す。パートの更新回数がパート数に等しくなるか、  計測時間の累計が総表示時間に等しくなればプログラムを終了する。
【産業上の利用可能性】
【００５２】
音楽産業、音響機器メーカー、携帯電話などで産業上の利用可能性がある。
【図１】
2011105112.tif 000003
【図２】
2011105112.tif 000004
【図３】
2011105112.tif 000005
【図４】
2011105112.tif 000006
【図５】
2011105112.tif 000007
【図６】
2011105112.tif 000008
【図７】
2011105112.tif 000009
【国際調査報告】
2011105112.tif 000010
2011105112.tif 000011
2011105112.tif 000012
2011105112.tif 000013
2011105112.tif 000014
2011105112.tif 000015
2011105112.tif 000016
2011105112.tif 000017
2011105112.tif 000018